(57)【要約】【課題】携帯電話機のバッテリを確実に充電し確実に異常発生を通報する。【解決手段】通報先の電話番号を記憶する電話番号記憶手段（通報先電話番号記憶部１１）と、異常発生を検知する異常検知手段（異常検知部１３）と、異常発生が検知された際に、記憶されている通報先の電話番号の発信を携帯電話機に要求する発信要求手段（コントロール部１４）と、携帯電話機により電話番号が発信されて通報先と通信が確立した際に、携帯電話機を介して異常発生を通報先に通報する通報手段（コントロール部１４、音声録音再生部１７）と、通報手段による通報後に携帯電話機のバッテリを一定期間毎に充電及び充電休止するバッテリ充電手段（コントロール部１４、電源回路１８、充電制御スイッチ１９）とを備えている。【選択図】図１
2007310584.tif 000002
【特許請求の範囲】
【請求項１】
通報先の電話番号を記憶する電話番号記憶手段と、
異常発生を検知する異常検知手段と、
該異常検知手段により異常発生が検知された際に、上記電話番号記憶手段に記憶されている通報先の電話番号の発信を携帯電話機に要求する発信要求手段と、
上記携帯電話機により電話番号が発信されて通報先と通信が確立した際に、上記携帯電話機を介して異常発生を通報先に通報する通報手段と、
該通報手段による通報後に上記携帯電話機のバッテリを一定期間毎に充電及び充電休止するバッテリ充電手段とを備えた異常通報装置。
【請求項２】
通報先の電話番号を記憶する電話番号記憶手段と、
異常発生を検知する異常検知手段と、
該異常検知手段により異常発生が検知された際に、上記電話番号記憶手段に記憶されている通報先の電話番号の発信を携帯電話機に要求する発信要求手段と、
上記携帯電話機により電話番号が発信されて通報先と通信が確立した際に、上記携帯電話機を介して異常発生を通報先に通報する通報手段と、
上記発信要求手段による要求に対する携帯電話機からの応答がない場合、上記携帯電話機の電源をオフ状態にして上記携帯電話機のバッテリを一定期間強制充電するバッテリ充電手段とを備えた異常通報装置。
【請求項３】
バッテリ充電手段による強制充電を所定回数実行した際に上記携帯電話機のバッテリの異常を知らせるバッテリ異常通知手段を備えたことを特徴とする請求項２記載の異常通報装置。
【請求項４】
電源投入後の初期状態で送信した携帯電話機が正常か否かの確認信号に対する上記携帯電話機からの応答がない場合、バッテリ充電手段は上記携帯電話機の電源をオフ状態にして上記携帯電話機のバッテリを一定期間強制充電することを特徴とする請求項２記載の異常通報装置。
【請求項５】
電源投入後の初期状態で、バッテリ充電手段は上記携帯電話機の電源をオフ状態にして上記携帯電話機のバッテリを一定期間強制充電することを特徴とする請求項２記載の異常通報装置。
【請求項６】
通報手段は異常検知手段により検知された異常発生を記憶し、
発信要求手段はバッテリ充電手段による強制充電完了後に電話番号記憶手段に記憶されている通報先の電話番号の発信を携帯電話機に要求し、
上記通報手段は、上記携帯電話機により電話番号が発信されて通報先と通信が確立した際に、記憶している異常発生を上記携帯電話機を介して通報先に通報することを特徴とする請求項２記載の異常通報装置。
【発明の詳細な説明】
【技術分野】
【０００１】
この発明は、例えば防犯センサ等が異常を検知すると、携帯電話機を利用して異常発生を管理者に通報する異常通報装置に関するものである。
【背景技術】
【０００２】
従来の異常通報装置は、例えば特許文献１に示すように、商用電源が設置されていない場所でも使用することができるようにするために、太陽光を受光することにより発電するソーラーセルを用意し、そのソーラーセルにより発電された電力はダイオード経由で充電回路に供給され、また、商用電源から得られる電力は、整流回路で整流された後、ダイオード経由で充電回路に供給され、充電回路はソーラーセル又は商用電源から得られる電力を異常通報装置の各構成部に供給して異常通報装置が駆動できる状態にし、また、充電回路は、異常通報装置に接続されている携帯電話機の外部電源端子から常時電力を供給してその携帯電話機のバッテリを充電するようにしている。
【０００３】
【特許文献１】特開２０００−１７２９７３号公報（段落００２３〜００２５）
【発明の開示】
【発明が解決しようとする課題】
【０００４】
従来の異常通報装置は以上のように構成されているので、充電回路により携帯電話機のバッテリが充電されるが、充電回路と携帯電話機のバッテリを接続した状態で、バッテリの充電が終了すると、その時点で充電回路は充電をやめてしまい、その後、携帯電話機が異常発生の通報を行ってバッテリの電荷を消費しても、この消費した電荷を補充するための充電がなされないという課題があった。
したがって、上記状態で、携帯電話機が頻繁に異常発生の通報を行うと、最終的には携帯電話機のバッテリの電荷がなくなり、その後、異常が発生しても携帯電話機が異常発生の通報をできなくなるという課題があった。
【０００５】
また、携帯電話機のバッテリの充電に際しては、携帯電話機の電源スイッチをオフ状態にしておかないと、携帯電話機自体が電力を消費するため、なかなか充電されない課題があり、一方、携帯電話機の電源スイッチをオフ状態で充電を行うと、異常発生による異常検知信号が入力された場合に、携帯電話機の電源スイッチを入りにしてから異常発生の通報を行う必要があり、この場合、電源が投入されてから携帯電話機が動作可能になるまでに約３０秒程度の時間がかかるため、異常発生を検知してから通報を行うまでに、時間がかかりすぎるという課題があった。
【０００６】
この発明は上記のような課題を解決するためになされたもので、携帯電話機のバッテリを確実に充電することができ、確実に異常発生を通報することができる異常通報装置を得ることを目的とする。
【課題を解決するための手段】
【０００７】
この発明に係る異常通報装置は、通報先の電話番号を記憶する電話番号記憶手段と、異常発生を検知する異常検知手段と、該異常検知手段により異常発生が検知された際に、上記電話番号記憶手段に記憶されている通報先の電話番号の発信を携帯電話機に要求する発信要求手段と、上記携帯電話機により電話番号が発信されて通報先と通信が確立した際に、上記携帯電話機を介して異常発生を通報先に通報する通報手段と、該通報手段による通報後に上記携帯電話機のバッテリを一定期間毎に充電及び充電休止するバッテリ充電手段とを備えたものである。
【発明の効果】
【０００８】
この発明により、携帯電話機のバッテリを確実に充電することができ、確実に異常発生を通報することができるという効果が得られる。
【発明を実施するための最良の形態】
【０００９】
実施の形態１．
図１はこの発明の実施の形態１による異常通報装置の構成を示すブロック図である。この異常通報装置１は、防犯センサ等の接点スイッチ４と接続され、携帯電話機インタフェース３を介して携帯電話機２と接続されており、通報先電話番号記憶部（電話番号記憶手段）１１、目標設定記憶部１２、異常検知部（異常検知手段）１３、コントロール部１４（発信要求手段、通報手段、バッテリ充電手段、バッテリ異常通知手段）、ランプ（バッテリ異常通知手段）１５、マイク１６、音声録音再生部（通報手段）１７、電源回路（バッテリ充電手段）１８及び充電制御スイッチ（バッテリ充電手段）１９を備えている。
また、携帯電話機２にはバッテリ２１及び充電制御回路２２が搭載されている。
【００１０】
異常通報装置１において、通報先電話番号記憶部１１は通報先の電話番号を記憶しているメモリである。目標設定記憶部１２はバッテリ２１の目標の充電時間や目標の充電休止時間を記憶するメモリである。
異常検知部１３は、防犯センサ等の接点スイッチ４が異常発生を検知して閉状態になると、異常検知信号をコントロール部１４に出力する。
【００１１】
コントロール部１４は、異常検知部１３からの異常検知信号を受け取ると、通報先電話番号記憶部１１に記憶されている電話番号の発信を指示するシリアル上り信号を携帯電話機２に送信すると共に、携帯電話機２から送信されるシリアル下り信号を監視して、携帯電話機２の通信確立状態を監視する。
【００１２】
また、コントロール部１４は、携帯電話機２から送信されるシリアル下り信号により携帯電話機２が通報先と通信が確立していることを確認すると、異常発生を知らせる音声メッセージの再生指令を音声録音再生部１７に出力する。
【００１３】
さらに、コントロール部１４は、電源回路１８による携帯電話機２のバッテリ２１の充電時間（充電制御スイッチ１９をオン状態に制御した時間に相当）を積算し、そのバッテリ２１の充電時間が目標設定記憶部１２に記憶されている目標の充電時間に到達すると、バッテリ２１の充電を目標設定記憶部１２に記憶されている目標の充電休止時間（充電制御スイッチ１９をオフ状態に制御した時間に相当）だけ停止する。
【００１４】
さらに、コントロール部１４は、携帯電話機２の電源をオン状態にする際には携帯制御信号Ａを携帯電話機２に送信し、携帯電話機２の電源をオフ状態にする際には携帯制御信号Ｂを携帯電話機２に送信する。携帯電話機２の電源がオン状態になると、携帯電話機２から電源がオン状態になったことを示すシリアル下り信号が送信されてくるので、コントロール部１４はこのシリアル下り信号を監視することで、携帯電話機２の電源が確立したことを認識できる。
【００１５】
音声録音再生部１７は、コントロール部１４の指示に基づき、マイク１６により集音された異常発生を知らせる音声メッセージを内部の録音データメモリ（図示せず）に録音すると共に、異常発生時にその録音されている音声メッセージを再生して携帯電話機２に送信する。
電源回路１８は、充電制御スイッチ１９がコントロール部１４の指示に基づきオン状態に制御されているとき、携帯電話機２の充電制御回路２２に電力を供給する。
【００１６】
なお、図１に示す異常通報装置１において、通報先電話番号記憶部１１により電話番号記憶手段が構成され、異常検知部１３により異常検知手段が構成され、コントロール部１４により発信要求手段が構成され、コントロール部１４及び音声録音再生部１７により通報手段が構成され、コントロール部１４、電源回路１８及び充電制御スイッチ１９によりバッテリ充電手段が構成され、コントロール部１４及びランプ１５によりバッテリ異常表示手段が構成されている。
【００１７】
携帯電話機２の充電制御回路２２は、電源回路１８からの電力の供給を受け取ると、その電力をバッテリ２１に充電する。
【００１８】
図２はこの発明の実施の形態１による異常通報装置１の異常発生通報処理と充電制御処理の内容を示すフローチャートである。
ステップＳＴ１において、コントロール部１４は管理者からの指示を受けてバッテリ２１の目標の充電時間を目標設定記憶部１２に設定し、ステップＳＴ２において、コントロール部１４は管理者からの指示を受けてバッテリ２１の目標の充電休止時間を目標設定記憶部１２に設定する。なお、目標の充電時間としては携帯電話機２のバッテリ２１を空状態から満充電の状態にできる平均的な時間が設定され、目標の充電休止時間としてはバッテリ２１が満充電の状態から電荷を消費して携帯電話機２の動作が不能になる平均的な時間未満の時間が設定される。
【００１９】
ステップＳＴ３において、コントロール部１４は、携帯電話機２に携帯制御信号Ａを送信して携帯電話機２の電源をオン状態とし携帯電話機２を動作可能な状態にし、充電制御回路２２を介して携帯電話機２のバッテリ２１を充電可能な状態にする。ただし、この異常発生通報処理を開始する初期状態では、携帯電話機２のバッテリ２１は満充電の状態になっているものとする。
【００２０】
ステップＳＴ４において、異常通報装置１は以下に示す異常発生通報処理を行う。
なお、異常発生通報処理を開始する前には、通報先の電話番号が予め通報先電話番号記憶部１１に記憶され、異常発生を知らせる音声メッセージが音声録音再生部１７の内部の録音データメモリに予め録音されているものとする。異常発生を知らせる音声メッセージを予め録音する際には、管理者により発せられた音声メッセージをマイク１６が集音し、音声録音再生部１７は、コントロール部１４の指示に基づき、マイク１６により集音された音声メッセージを内部の録音データメモリに録音する。
【００２１】
防犯センサ等の接点スイッチ４が異常発生を検知して閉状態になると、異常検知部１３は異常発生を示す異常検知信号をコントロール部１４に出力する。コントロール部１４は、異常検知部１３からの異常検知信号を受け取ると、通報先電話番号記憶部１１に記憶されている通報先の電話番号を読み取り、その電話番号の発信を指示するシリアル上り信号を携帯電話機２に送信する。
【００２２】
携帯電話機２は、コントロール部１４から電話番号の発信を指示するシリアル上り信号を受信すると、その電話番号を発信して通報先の通信装置に発呼し、通報先の通信装置との通信が確立すると、通信が確立したことを示すダイヤル返信をシリアル下り信号として異常通報装置１に送信する。
【００２３】
コントロール部１４は、携帯電話機２から送信されるシリアル下り信号を監視して、携帯電話機２の通信確立状態を監視し、携帯電話機２からダイヤル返信をシリアル下り信号として受信すると、携帯電話機２が通報先の通信装置と通信が確立したものと認識し、異常発生を知らせる音声メッセージの再生指令を音声録音再生部１７に出力する。
【００２４】
音声録音再生部１７は、コントロール部１４から音声メッセージの再生指令を受け取ると、内部の録音データメモリに録音されている異常発生を知らせる音声メッセージを再生して携帯電話機２に送信する。これにより、携帯電話機２から音声メッセージが通報先の通信装置に送信されて異常発生が通報先に伝達される。
コントロール部１５は、携帯電話機２による音声メッセージの送信が完了すると、シリアル上り信号を携帯電話機２に送信し、携帯電話機２による通報先の通信装置との通信確立を解除させる。
以上が図２のテップＳＴ４における異常発生通報処理である。
【００２５】
図２のステップＳＴ５〜ＳＴ１２の処理は携帯電話機２のバッテリ２１の充電制御処理を示している。
ステップＳＴ５において、コントロール部１４は充電制御スイッチ１９をオン状態にして電源回路１８からの電力を携帯電話機２に供給し、携帯電話機２の充電制御回路２２にバッテリ２１の充電を開始させる。
【００２６】
ステップＳＴ６において、コントロール部１４は、充電制御スイッチ１９をオン状態にしている時間を積算することにより、携帯電話機２の充電制御回路２２によるバッテリ２１の充電時間を積算する。
【００２７】
ステップＳＴ７において、コントロール部１４は、積算した充電時間が目標設定記憶部１２に設定されている目標の充電時間に到達したか否かを判定し、目標の充電時間に到達していない場合には、ステップＳＴ６の処理に戻ることにより、設定されている目標の充電時間に到達するまでバッテリ２１の充電を実行する。
【００２８】
上記ステップＳＴ７で積算した充電時間が目標の充電時間に到達した場合には、ステップＳＴ８において、コントロール部１４は積算している充電時間をリセットし、ステップＳＴ９において、コントロール部１４は充電制御スイッチ１９をオン状態からオフ状態に切り換える。
【００２９】
ステップＳＴ１０において、コントロール部１４は、充電制御スイッチ１９をオフ状態にしている時間を積算することにより、携帯電話機２の充電制御回路２２によるバッテリ２１の充電休止時間を積算する。
【００３０】
ステップＳＴ１１において、コントロール部１４は、積算した充電休止時間が目標設定記憶部１２に設定されている目標の充電休止時間に到達したか否かを判定し、目標の充電休止時間に到達していない場合には、ステップＳＴ１０の処理に戻ることにより、設定されている目標の充電休止時間に到達するまでバッテリ２１の充電休止を実行する。
【００３１】
上記ステップＳＴ１１で積算した充電休止時間が目標の充電休止時間に到達した場合には、ステップＳＴ１２において、コントロール部１４は積算しているバッテリ２１の充電休止時間をリセットし、ステップＳＴ４の処理に戻ることにより、コントロール部１４は充電制御スイッチ１９をオフ状態からオン状態に切り換えて、バッテリ２１の充電を再び開始する。
このようにしてバッテリ２１の充電とバッテリ２１の充電休止を一定時間間隔で繰り返し実行する。
【００３２】
以上のように、この実施の形態１によれば、異常通報装置１が、異常発生通報処理後に携帯電話機２のバッテリ２１を設定されている充電時間だけ充電し、設定されている充電休止時間経過後に設定されている充電時間だけ充電する処理を繰り返して、一定時間間隔で携帯電話機２のバッテリ２１の充電制御を行うことにより、携帯電話機２のバッテリ２１を電源回路１８に接続したまま放置した場合、バッテリ２１が一旦充電されると、それ以降、携帯電話機２が通報を行ってバッテリ２１の電力を消費して充電電荷が減少しても再充電されないという課題を解決でき、携帯電話機２のバッテリ２１を確実に充電することができ、確実に異常発生を通報することができるという効果が得られる。
【００３３】
実施の形態２．
上記実施の形態１では、バッテリ２１の充電中であっても、この間に発生した異常を通報するために、携帯電話機２の電源を常時オン状態にして一定時間間隔で携帯電話機２のバッテリ２１の充電制御を行うものについて示したが、携帯電話機２の電源を常時オン状態にしているためにバッテリ２１の充電に時間を要してしまい、頻繁に異常発生の通報を行うとバッテリ２１の電荷を消費して、その後の異常発生の通報ができなくなる恐れがある。この実施の形態２は、携帯電話機２が動作不能になったときに、携帯電話機２の電源をオフ状態にして強制充電を行うことにより、通信機能を短期間に回復させてこの課題を解決するものである。
【００３４】
この発明の実施の形態２による異常通報装置の構成を示すブロック図は上記実施の形態１と同じである。この実施の形態２では、目標設定記憶部１２はバッテリ２１の目標の充電時間や目標の充電休止時間の他に、目標の強制充電時間や目標の強制充電回数を記憶するメモリである。
【００３５】
図３はこの発明の実施の形態２による異常通報装置１の異常発生通報処理と充電制御処理の内容を示すフローチャートである。異常発生通報処理を開始する前には、上記実施の形態１と同様に、通報先の電話番号が通報の電話番号記憶部１１に記憶され、異常発生を知らせる音声メッセージが音声録音再生部１７の内部の録音データメモリに録音されているものとする。
【００３６】
図３のステップＳＴ２１，ＳＴ２２の処理は上記実施の形態１の図２のステップＳＴ１，ＳＴ２の処理とそれぞれ同じである。
ステップＳＴ２３において、コントロール部１４は管理者からの指示を受けてバッテリ２１の目標の強制充電時間を目標設定記憶部１２に設定し、ステップＳＴ２４において、コントロール部１４は管理者からの指示を受けてバッテリ２１の目標の強制充電回数を目標設定記憶部１２に設定する。なお、目標の強制充電時間としては携帯電話機２のバッテリ２１を空状態から携帯電話機２が動作可能になる平均的な時間が設定され、目標の強制充電回数としては所定値が設定される。
【００３７】
ステップＳＴ２５において、コントロール部１４は、携帯電話機２に携帯制御信号Ａを送信して携帯電話機２の電源をオン状態とし、携帯電話機２を動作可能な状態にし、充電制御回路２２を介してバッテリ２１を充電可能な状態にする。ただし、この異常発生通報処理を開始する初期状態では、携帯電話機２のバッテリ２１は満充電の状態になっているものとする。
【００３８】
ステップＳＴ２６において、コントロール部１４は充電制御スイッチ１９をオン状態にして電源回路１８からの電力を携帯電話機２に供給し、携帯電話機２の充電制御回路２２にバッテリ２１の充電を開始させる。
【００３９】
ステップＳＴ２７において、コントロール部１４は上記実施の形態１と同様のバッテリ２１の充電制御を実行する。すなわち、図２のステップＳＴ６〜ＳＴ１２，ＳＴ５の一連の繰り返し処理を実行する。
【００４０】
ステップＳＴ２８において、コントロール部１４は異常検知部１３からの異常検知信号の有無により異常発生したか否かを判定し、異常発生していない場合には、上記ステップＳＴ２１に戻って上記の処理を繰り返す。
【００４１】
上記ステップＳＴ２８で異常発生している場合には、ステップＳＴ２９において、コントロール部１４は、異常検知部１２からの異常検知信号を受け取ると、通報先電話番号記憶部１１に記憶されている通報先の電話番号を読み取り、その電話番号の発信を指示するシリアル上り信号を携帯電話機２に送信する。
【００４２】
ステップＳＴ３０において、コントロール部１４は、携帯電話機２から送信されるシリアル下り信号を監視して、携帯電話機２の通信確立状態を監視し、携帯電話機２からダイヤル返信のシリアル下り信号の応答の有無を判定する。
【００４３】
上記ステップＳＴ３０で、携帯電話機２からダイヤル返信のシリアル下り信号を受信した場合には、ステップＳＴ３１において、コントロール部１４は、携帯電話機２が通報先の通信装置と通信が確立したものと認識し、異常発生を知らせる音声メッセージの再生指令を音声録音再生部１７に出力し、音声録音再生部１７は、コントロール部１４から音声メッセージの再生指令を受け取ると、録音データメモリに録音されている音声メッセージを再生して携帯電話機２に送信する。これにより、携帯電話機２から音声メッセージが通報先の通信装置に送信されて、異常発生が通報先に伝達される。
【００４４】
ステップＳＴ３２において、コントロール部１４は後述のバッテリ２１の強制充電回数のカウント値をリセットする。
【００４５】
ステップＳＴ３３において、コントロール部１４は、携帯電話機２による音声メッセージの送信が完了すると、シリアル上り信号を携帯電話機２に送信して携帯電話機２による通報先の通信装置との通信確立を解除させる。
【００４６】
図３のステップＳＴ３４〜ＳＴ４３の処理は携帯電話機２のバッテリ２１の充電制御処理を示している。
上記ステップＳＴ３０で、コントロール部１４が携帯電話機２から送信されるシリアル下り信号を監視して、そのシリアル下り信号が来ない場合（応答がない場合）、又は通報先の通信装置との通信が確立していない場合は、通信可能な状態ではないと認識し、ステップＳＴ３４において、コントロール部１４は携帯電話機２に携帯制御信号Ｂを送信して携帯電話機２の電源をオフ状態にする。
【００４７】
ステップＳＴ３５において、コントロール部１４は、充電制御スイッチ１９を所定時間だけオフ状態にし、所定時間経過後に、ステップＳＴ３６において、コントロール部１４は、充電制御スイッチ１９をオン状態にすることにより、携帯電話機２の電源がオフ状態でバッテリ２１の強制充電を実行する。なお、充電制御スイッチ１９をオフ状態にする所定時間は、バッテリ２１の目標の充電休止時間でも良いし、予め定めた固定の時間でも良い。
【００４８】
ステップＳＴ３７において、コントロール部１４は充電制御スイッチ１９をオン状態にしている時間を積算することによりバッテリ２１の強制充電時間を積算する。
【００４９】
ステップＳＴ３８において、コントロール部１４は、強制充電時間が目標設定記憶部１２に設定されているバッテリ２１の目標の強制充電時間に到達したか否かを判定し、到達していない場合には上記ステップＳＴ３７の処理を行うことにより、目標設定記憶部１２に設定されている目標の強制充電時間になるまで携帯電話機２のバッテリ２１を強制充電する。
【００５０】
上記ステップＳＴ３８で目標の強制充電時間に到達した場合には、ステップＳＴ３９において、コントロール部１４は、充電制御スイッチ１９をオン状態からオフ状態にし、積算している強制充電時間をリセットする。
【００５１】
ステップＳＴ４０において、コントロール部１４は携帯電話機２に携帯制御信号Ａを送信して携帯電話機２の電源をオン状態にする。
【００５２】
ステップＳＴ４１において、コントロール部１４はバッテリ２１の強制充電回数をインクリメントする。なお、バッテリ２１の強制充電を行っていない初期状態ではバッテリ２１の強制充電回数は「０」に設定されている。
【００５３】
ステップＳＴ４２において、コントロール部１４はインクリメントしたバッテリ２１の強制充電回数が目標設定記憶部１２に設定されているバッテリ２１の目標の強制充電回数に到達したか否かを判定する。
【００５４】
上記ステップＳＴ４２で目標の強制充電回数に到達した場合には、ステップＳＴ４３において、コントロール部１４は携帯電話機２のバッテリ２１の異常を示すランプ１５を点灯させ、上記ステップＳＴ３２に戻ってバッテリ２１のインクリメントしている強制充電回数のカウント値をリセットする。
【００５５】
上記ステップＳＴ４２で目標の強制充電回数に到達していない場合には、上記ステップＳＴ２９に戻り、コントロール部１４は、通報先電話番号記憶部１１に記憶されている通報先の電話番号を読み取り、その電話番号の発信を指示するシリアル上り信号を携帯電話機２に送信し、上記ステップＳＴ３０で携帯電話機２からの応答を確認し、応答があった場合に上記ステップＳＴ３１で通報を実行し、上記ステップＳＴ３２でバッテリ２１のインクリメントした強制充電回数のカウント値をリセットする。
【００５６】
以上のように、この実施の形態２によれば、頻繁な異常発生の通報によりバッテリ２１の電荷を消費しすぎて携帯電話機２が動作不能になったときに、携帯電話機２の電源をオフ状態にして強制充電を行うように構成したので、バッテリ２１の電荷を消費しすぎた場合にも、確実にバッテリ２１を充電して回復することができ、継続して確実に異常発生の通報ができるという効果が得られる。
【００５７】
また、この実施の形態２によれば、バッテリ２１の故障のため回復せず異常発生の通報ができない場合には、バッテリ２１の異常をランプ１５を点灯することで管理者に知らせることができるという効果が得られる。
【００５８】
なお、この実施の形態２では、初期状態においてバッテリ２１が満充電になっているものとして説明しているが、異常通報装置１を設置して電源を投入したときは、携帯電話機２のバッテリ２１が充電されていない場合がある。このため、異常検知信号が入力されてからバッテリ２１の充電状態を確認するのではなく、電源投入時に、コントロール１４が携帯電話機２が健全かどうかを確認するためにシリアル上り信号を送信し、携帯電話機２からのシリアル下り信号を監視して、健全であることの応答がない場合には、強制充電を行うようにしても良い。
また、電源投入時に、コントロール１４が無条件に強制充電を行ってから健全性確認を行っても良い。
【００５９】
実施の形態３．
上記実施の形態２では、頻繁な異常発生の通報によりバッテリ２１の電荷を消費しすぎて携帯電話機２が動作不能になり、その結果、通報ができなくなった場合、携帯電話機２の電源をオフ状態にしてバッテリ２１を強制充電し、通信機能を短期間に回復させるものであるが、強制充電中に、異常検知信号が入力された場合には、携帯電話機２の電源はオフ状態になっているので通報ができない。この実施の形態３はこの課題を解決するものである。
【００６０】
この発明の実施の形態３による異常通報装置の構成を示すブロック図は上記実施の形態１と同じである。この実施の形態３では、上記実施の形態２と同様に、目標設定記憶部１２はバッテリ２１の目標の充電時間や目標の充電休止時間の他に、目標の強制充電時間や目標の強制充電回数を記憶するメモリである。
【００６１】
図４はこの発明の実施の形態３による異常通報装置の異常発生通報処理と充電制御処理の内容を示すフローチャートである。なお、異常発生通報処理を開始する初期状態では、携帯電話機２のバッテリ２１が満充電の状態になっているものとする。
【００６２】
ステップＳＴ５１において、異常検知部１２は、接点スイッチ４が閉状態になると、異常検知信号をコントロール部１４に出力する。
ステップＳＴ５２において、コントロール部１４は異常検知信号を受けたことを内部のメモリ（図示せず）に記憶する。
【００６３】
ステップＳＴ５３において、コントロール部１４は、異常発生通報処理を実行するにあたり、現在、バッテリ２１の強制充電中か否かを判定する。
上記ステップＳＴ５３でバッテリ２１の強制充電中でなければ、ステップＳＴ５４において、上記実施の形態２で説明した手順で異常発生通報処理を行う。すなわち、上記実施の形態２の図３のステップＳＴ２９，ＳＴ３０，ＳＴ３１の処理を行う。
【００６４】
上記ステップＳＴ５３でバッテリ２１の強制充電中であれば、ステップＳＴ５５において、強制充電を続行して上記ステップＳＴ５３の処理に戻ることにより、バッテリ２１の強制充電が完了するまで待機してからステップＳＴ５４の異常発生通知処理を行う。
【００６５】
コントロール部１４は、バッテリ強制充電中に複数の異常検知信号を受け取ると、それらの異常検知信号を順番に記憶し、バッテリ強制充電が完了後に、記憶している異常検知信号に対応した異常発生通知処理を行う。異常検知信号の発生原因がそれぞれ異なる場合には、発生原因に対応して、その原因の数だけ通報を行う。なお、この場合、接点スイッチ４を複数設置し、異常検知部１３を複数設置し、音声録音再生部の内部の録音データメモリには異常発生を知らせる複数の音声メッセージが録音されているものとする。
また、同一の発生原因の異常検知信号が複数回発生した場合には、複数回通報をしても良く、又は通報が重複し煩雑となるため、一回目のみ通報し二回目以降の通報をやめても良い。
【００６６】
以上のように、この実施の形態３によれば、バッテリ２１の強制充電中に異常検知信号が入力された場合にその異常検知信号を記憶しておき、バッテリ強制充電完了後に、その異常検知信号に対応した異常発生通報処理を実行することにより、異常発生を見落とすことなく、確実に異常発生の通報を行うことができるという効果が得られる。
【００６７】
上記実施の形態１〜３では、バッテリ２１の充電時間、充電休止時間、強制充電時間、強制充電回数等を目標設定部１２に設定するものについて示したが、これらを専用の設定器を用いて目標設定部１２に設定しても良いが、例えば、ＲＳ−２３２Ｃケーブル等でパソコン等を異常通報装置１に接続して設定するようにして良い。また、これらの設定値は、設定の煩雑さを軽減するために、予め固定値として記憶させておき、設定を不要としても良い。
【００６８】
また、上記実施の形態１〜３では、マイク１６を使用して音声メッセージを収集して音声録音再生部１７の内部の音声データメモリに録音するものを示したが、メロディＩＣを音声録音再生部１７に実装して、メロディＩＣに記録されている固定の音声メッセージを再生するようにしても良い。
【００６９】
さらに、上記実施の形態１〜３では、携帯電話機２が異常発生を知らせる音声メッセージを通報先の通信装置に通報するものについて示したが、携帯電話機２が異常発生を知らせるメール等の電文を通報先の通信装置に通報するようにしても良い。
【００７０】
さらに、上記実施の形態２では、バッテリ２１の異常をランプ１５の点灯で知らせるものについて説明したが、接点信号を出力したり、ブザー、ベル等を吹鳴して管理者に知らせるようにしても良い。
【図面の簡単な説明】
【００７１】
【図１】この発明の実施の形態１による異常通報装置の構成を示すブロック図である。
【図２】この発明の実施の形態１による異常通報装置の異常発生通報処理と充電制御処理の内容を示すフローチャートである。
【図３】この発明の実施の形態２による異常通報装置の異常発生通報処理と充電制御処理の内容を示すフローチャートである。
【図４】この発明の実施の形態３による異常通報装置の異常発生通報処理と充電制御処理の内容を示すフローチャートである。
【符号の説明】
【００７２】
１  異常通報装置、２  携帯電話機、３  携帯電話機インタフェース、４  接点スイッチ、１１  通報先電話番号記憶部（電話番号記憶手段）、１２  目標設定記憶部、１３  異常検知部（異常検知手段）、１４  コントロール部（発信要求手段、通報手段、バッテリ充電手段、バッテリ異常通知手段）、１５  ランプ（バッテリ異常通知手段）、１６  マイク、１７  音声録音再生部（通報手段）、１８  電源回路（バッテリ充電手段）、１９  充電制御スイッチ（バッテリ充電手段）、２１  バッテリ、２２  充電制御回路。
【図１】
2007310584.tif 000003
【図２】
2007310584.tif 000004
【図３】
2007310584.tif 000005
【図４】
2007310584.tif 000006